(57)【要約】【課題】手間を取らずに購入合計金額が容易に分かることを望む利用客にとっての利便性をより高めることが可能な金額表示端末、金額表示装置、金額表示システム、金額表示プログラム、及び金額表示方法を提供する。【解決手段】移動機１は、買物カゴ２の近傍に配置され、当該買物カゴ２に収容された商品の合計金額を表示する端末であって、買物カゴ２に収容された商品Ｃ１〜Ｃ３に貼付された、当該商品Ｃ１〜Ｃ３の単価を含むＩＣタグの商品情報を読み取るＩＣタグリーダ１１と、買物カゴ２に商品が出し入れされる際の移動方向を検知する加速度センサ１２と、ＩＣタグリーダ１１により読み取られた商品情報、及び加速度センサ１２により検知された移動方向に基づいて、商品Ｃ１〜Ｃ３の合計金額を計算する計算部１３と、計算部１３により計算された合計金額を表示する計算結果表示部１４と、を備える。【選択図】図２
2009163359.tif 000002
【特許請求の範囲】
【請求項１】
商品収容手段の近傍に配置され、当該商品収容手段に収容された商品の合計金額を表示する金額表示端末であって、
前記商品収容手段に収容された前記商品に貼付された、当該商品の単価を含む商品情報を読み取る読取手段と、
前記商品収容手段に前記商品が出し入れされる際の移動方向を検知する検知手段と、
前記読取手段により読み取られた前記商品情報、及び前記検知手段により検知された前記移動方向に基づいて、前記商品の合計金額を計算する計算手段と、
前記計算手段により計算された前記合計金額を表示する表示手段と、
を備える金額表示端末。
【請求項２】
前記検知手段は、前記商品収容手段に前記商品が出し入れされる際の加速方向を計測することにより前記移動方向を検知するとともに、前記商品収容手段に前記商品が出し入れされる際の加速度を計測する加速度センサであり、
前記計算手段は、前記商品情報及び前記移動方向に加えて、前記加速度センサにより検知された前記加速度に基づいて、前記合計金額を計算する、請求項１に記載の金額表示端末。
【請求項３】
商品の合計金額を表示する金額表示装置であって、
前記商品を収容する商品収容手段と、
前記商品収容手段に収容された前記商品に貼付された、当該商品の単価を含む商品情報を読み取る読取手段と、
前記商品収容手段に前記商品が出し入れされる際の収容方向を検知する検知手段と、
前記読取手段により読み取られた前記商品情報、及び前記検知手段により検知された前記移動方向に基づいて、前記商品の合計金額を計算する計算手段と、
前記計算手段により計算された前記合計金額を表示する表示手段と、
を備える金額表示装置。
【請求項４】
前記検知手段は、前記商品収容手段に前記商品が出し入れされる際の加速方向を計測することにより前記移動方向を検知するとともに、前記商品収容手段に前記商品が出し入れされる際の加速度を計測する加速度センサであり、
前記計算手段は、前記商品情報及び前記移動方向に加えて、前記加速度センサにより検知された前記加速度に基づいて、前記合計金額を計算する、請求項３に記載の金額表示装置。
【請求項５】
前記商品収容手段に収容された前記商品以外の商品に貼付された前記商品情報の前記読取手段による読み取りを防止する読取防止手段を更に備える、請求項３又は４に記載の金額表示装置。
【請求項６】
商品の合計金額を表示する金額表示システムであって、
請求項１又は２に記載の金額表示端末と、当該金額表示端末と通信を行う通信装置とを備え、
前記金額表示端末は、
前記読取手段により読み取られた前記商品情報を前記通信装置に送信する端末送信手段と、
前記商品情報を受信した前記通信装置から当該商品情報と対応する商品関連情報を受信する端末受信手段と、を更に備え、
前記通信装置は、
前記商品情報と対応する商品関連情報とをそれぞれ関連付けて格納する格納手段と、
前記端末送信手段から受信した前記商品情報と対応する商品関連情報を前記格納手段から選択して前記端末受信手段に送信する装置送信手段と、を備え、
前記計算手段は、前記商品情報及び前記移動方向に加えて、前記装置送信手段から受信した前記商品関連情報に基づいて、前記合計金額を計算する、
金額表示システム。
【請求項７】
前記商品収容手段に収容された前記商品以外の商品に貼付された前記商品情報の前記読取手段による読み取りを防止する読取防止手段を更に備える、請求項６に記載の金額表示システム。
【請求項８】
商品収容手段の近傍に配置され、当該商品収容手段に収容された商品の合計金額を表示する金額表示端末に用いられる金額表示プログラムであって、
前記金額表示端末を、
前記商品収容手段に収容された前記商品に貼付された、当該商品の単価を含む商品情報を読み取る読取手段と、
前記商品収容手段に前記商品が出し入れされる際の移動方向を検知する検知手段と、
前記読取手段により読み取られた前記商品情報、及び前記検知手段により検知された前記移動方向に基づいて、前記商品の合計金額を計算する計算手段と、
前記計算手段により計算された前記合計金額を表示する表示手段と、
として機能させる金額表示プログラム。
【請求項９】
商品収容手段の近傍に配置され、当該商品収容手段に収容された商品の合計金額を表示する金額表示端末を用いた金額表示方法であって、
前記商品収容手段に収容された前記商品に貼付された、当該商品の単価を含む商品情報を前記金額表示端末が読み取る読取ステップと、
前記商品収容手段に前記商品が出し入れされる際の移動方向を前記金額表示端末が検知する検知ステップと、
前記読取ステップで読み取られた前記商品情報、及び前記検知ステップで検知された前記移動方向に基づいて、前記商品の合計金額を前記金額表示端末が計算する計算ステップと、
前記計算ステップで計算された前記合計金額を前記金額表示端末が表示する表示ステップと、
を有する金額表示方法。
【発明の詳細な説明】
【技術分野】
【０００１】
本発明は、商品の合計金額を表示する金額表示端末、金額表示装置、金額表示システム、金額表示プログラム、及び金額表示方法に関するものである。
【背景技術】
【０００２】
スーパーマーケット等において、利用客が買物の途中で簡単な操作をすると、買物カゴ等に入れられた商品の合計金額を計算し、ほぼリアルタイムに表示して確認可能とすることが検討されている。例えば、下記特許文献１に開示された購入金額表示端末では、買物カートに入れられた商品に貼付された無線タグ情報のそれぞれを読み取り手段が読み取ってストアコントローラーに送信し、無線タグ情報を受信したストアコントローラーから送信された商品価格に基づいて購入合計金額を表示する。
【０００３】
ここで、無線タグ情報が読み取られた商品を返品するときに操作するキャンセルキーが買物カート近傍に設けられており、利用客が商品を返品するときはこのキャンセルキーを操作してから無線タグ情報を読み取り手段に読み取らせることにより、購入合計金額から返品商品の商品価格が減算されて表示される。
【特許文献１】特開２００６−２１５６９１号公報
【発明の開示】
【発明が解決しようとする課題】
【０００４】
しかしながら、買物カートに入れられた商品を返品するたびに、上記のキャンセルキーの操作を毎回行う手間が必要となるため、手間を取らずに購入合計金額が容易に分かることを望む利用客にとっての利便性が低いという課題がある。
【０００５】
そこで本発明では、手間を取らずに購入合計金額が容易に分かることを望む利用客にとっての利便性をより高めることが可能な金額表示端末、金額表示装置、金額表示システム、金額表示プログラム、及び金額表示方法を提供することを目的とする。
【課題を解決するための手段】
【０００６】
本発明の金額表示端末は、商品収容手段の近傍に配置され、当該商品収容手段に収容された商品の合計金額を表示する金額表示端末であって、商品収容手段に収容された商品に貼付された、当該商品の単価を含む商品情報を読み取る読取手段と、商品収容手段に商品が出し入れされる際の移動方向を検知する検知手段と、読取手段により読み取られた商品情報、及び検知手段により検知された移動方向に基づいて、商品の合計金額を計算する計算手段と、計算手段により計算された合計金額を表示する表示手段と、を備えることを特徴とする。
【０００７】
本発明の金額表示端末によれば、読取手段により読み取られた商品情報、及び検知手段により検知された商品の出し入れの際の移動方向に基づいて、商品の合計金額が計算手段により計算されて、計算手段により計算された合計金額が表示手段により表示される。これにより、商品が商品収容手段に入れられる際の移動方向と商品情報とに基づいて商品の合計金額が計算されて表示されるだけでなく、商品が商品収容手段から取り出される際の移動方向と商品情報とに基づいても商品の合計金額が計算されて表示される。このため、買物カート等の商品収容手段に入れられた商品を返品するたびに、キャンセルキーの操作といった商品返品のための操作を毎回行う手間を取らずに、商品の合計金額が容易に分かることができるようになり、利用客にとっての利便性をより高めることができる。
【０００８】
また、上記の金額表示端末において、検知手段は、商品収容手段に商品が出し入れされる際の加速方向を計測することにより移動方向を検知するとともに、商品収容手段に商品が出し入れされる際の加速度を計測する加速度センサであり、計算手段は、商品情報及び移動方向に加えて、加速度センサにより検知された加速度に基づいて、合計金額を計算するのも好ましい。これにより、商品情報及び移動方向に加えて加速度にも基づいて合計金額が計算されるため、商品が商品収容手段に入れられた状態であるか否か、及び商品が商品収容手段から取り出された状態であるか否かがより正しく判断されて合計金額が計算される。この結果、より正しい商品の合計金額が分かるようになるため、利用客にとっての利便性をより高めることができる。
【０００９】
本発明の金額表示装置は、商品を収容する商品収容手段と、商品収容手段に収容された商品に貼付された、当該商品の単価を含む商品情報を読み取る読取手段と、商品収容手段に商品が出し入れされる際の移動方向を検知する検知手段と、読取手段により読み取られた商品情報、及び検知手段により検知された移動方向に基づいて、商品の合計金額を計算する計算手段と、計算手段により計算された合計金額を表示する表示手段と、を備えることを特徴とする。
【００１０】
本発明の金額表示装置によれば、読取手段により読み取られた商品情報、及び検知手段により検知された商品の出し入れの際の移動方向に基づいて、商品の合計金額が計算手段により計算されて、計算手段により計算された合計金額が表示手段により表示される。これにより、商品が商品収容手段に入れられる際の移動方向と商品情報とに基づいて商品の合計金額が計算されて表示されるだけでなく、商品が商品収容手段から取り出される際の移動方向と商品情報とに基づいても商品の合計金額が計算されて表示される。このため、買物カート等の商品収容手段に入れられた商品を返品するたびに、キャンセルキーの操作といった商品返品のための操作を毎回行う手間を取らずに、商品の合計金額が容易に分かることができるようになり、利用客にとっての利便性をより高めることができる。
【００１１】
また、上記の金額表示装置において、検知手段は、商品収容手段に商品が出し入れされる際の加速方向を計測することにより移動方向を検知するとともに、商品収容手段に商品が出し入れされる際の加速度を計測する加速度センサであり、計算手段は、商品情報及び移動方向に加えて、加速度センサにより検知された加速度に基づいて、合計金額を計算するのも好ましい。これにより、商品情報及び移動方向に加えて加速度にも基づいて合計金額が計算されるため、商品が商品収容手段に入れられた状態であるか否か、及び商品が商品収容手段から取り出された状態であるか否かがより正しく判断されて合計金額が計算される。この結果、より正しい商品の合計金額が分かるようになるため、利用客にとっての利便性をより高めることができる。
【００１２】
また、上記の金額表示装置において、商品収容手段に収容された商品以外の商品に貼付された商品情報の読取手段による読み取りを防止する読取防止手段を更に備えるのも好ましい。これにより、商品収容手段に収容された商品以外の商品に貼付された商品情報の読取手段による読み取りは行われないため、商品収容手段に収容されていない商品に貼付された商品情報を誤って読み取ってしまうことを防ぐことができる。
【００１３】
本発明の金額表示システムは、上記の金額表示端末と、当該金額表示端末と通信を行う通信装置とを備え、金額表示端末は、読取手段により読み取られた商品情報を通信装置に送信する端末送信手段と、商品情報を受信した通信装置から当該商品情報と対応する商品関連情報を受信する端末受信手段と、を更に備え、通信装置は、商品情報と対応する商品関連情報とをそれぞれ関連付けて格納する格納手段と、端末送信手段から受信した商品情報と対応する商品関連情報を格納手段から選択して端末受信手段に送信する装置送信手段と、を備え、計算手段は、商品情報及び移動方向に加えて、装置送信手段から受信した商品関連情報に基づいて、合計金額を計算することを特徴とする。
【００１４】
本発明の金額表示システムによれば、端末送信手段から受信した商品情報と対応する商品関連情報を装置送信手段が格納手段から選択して端末受信手段に送信し、計算手段が、商品情報及び移動方向に加えて、装置送信手段から受信した商品関連情報に基づいて、合計金額を計算する。これにより、金額表示端末から送信された商品情報と対応する商品関連情報が通信装置から選択されて金額表示端末に送信されて、これを受信した金額表示端末が、商品情報及び移動方向に加えて、商品関連情報に基づいて合計金額を計算する。このため、通信装置の格納手段に格納された商品関連情報を一元的に管理しておくことにより、金額表示端末において計算されて表示される合計金額を管理することが可能になる。
【００１５】
また、上記の金額表示システムにおいて、商品収容手段に収容された商品以外の商品に貼付された商品情報の読取手段による読み取りを防止する読取防止手段を更に備えるのも好ましい。これにより、商品収容手段に収容された商品以外の商品に貼付された商品情報の読取手段による読み取りは行われないため、商品収容手段に収容されていない商品に貼付された商品情報を誤って読み取ってしまうことを防ぐことができる。
【００１６】
本発明の金額表示プログラムは、商品収容手段の近傍に配置され、当該商品収容手段に収容された商品の合計金額を表示する金額表示端末に用いられる金額表示プログラムであって、金額表示端末を、商品収容手段に収容された商品に貼付された、当該商品の単価を含む商品情報を読み取る読取手段と、商品収容手段に商品が出し入れされる際の移動方向を検知する検知手段と、読取手段により読み取られた商品情報、及び検知手段により検知された移動方向に基づいて、商品の合計金額を計算する計算手段と、計算手段により計算された合計金額を表示する表示手段と、として機能させることを特徴とする。
【００１７】
本発明の金額表示プログラムによれば、読取手段により読み取られた商品情報、及び検知手段により検知された商品の出し入れの際の移動方向に基づいて、商品の合計金額が計算手段により計算されて、計算手段により計算された合計金額が表示手段により表示される。これにより、商品が商品収容手段に入れられる際の移動方向と商品情報とに基づいて商品の合計金額が計算されて表示されるだけでなく、商品が商品収容手段から取り出される際の移動方向と商品情報とに基づいても商品の合計金額が計算されて表示される。このため、買物カート等の商品収容手段に入れられた商品を返品するたびに、キャンセルキーの操作といった商品返品のための操作を毎回行う手間を取らずに、商品の合計金額が容易に分かることができるようになり、利用客にとっての利便性をより高めることができる。
【００１８】
本発明の金額表示方法は、商品収容手段の近傍に配置され、当該商品収容手段に収容された商品の合計金額を表示する金額表示端末を用いた金額表示方法であって、商品収容手段に収容された商品に貼付された、当該商品の単価を含む商品情報を金額表示端末が読み取る読取ステップと、商品収容手段に商品が出し入れされる際の移動方向を金額表示端末が検知する検知ステップと、読取ステップで読み取られた商品情報、及び検知ステップで検知された移動方向に基づいて、商品の合計金額を金額表示端末が計算する計算ステップと、計算ステップで計算された合計金額を金額表示端末が表示する表示ステップと、を有することを特徴とする。
【００１９】
本発明の金額表示方法によれば、読取ステップで読み取られた商品情報、及び検知ステップで検知された商品の出し入れの際の移動方向に基づいて、商品の合計金額が計算ステップで計算されて、計算ステップで計算された合計金額が表示ステップで表示される。これにより、商品が商品収容手段に入れられる際の移動方向と商品情報とに基づいて商品の合計金額が計算されて表示されるだけでなく、商品が商品収容手段から取り出される際の移動方向と商品情報とに基づいても商品の合計金額が計算されて表示される。このため、買物カート等の商品収容手段に入れられた商品を返品するたびに、キャンセルキーの操作といった商品返品のための操作を毎回行う手間を取らずに、商品の合計金額が容易に分かることができるようになり、利用客にとっての利便性をより高めることができる。
【発明の効果】
【００２０】
本発明によれば、手間を取らずに購入合計金額が容易に分かることを望む利用客にとっての利便性をより高めることが可能になる。
【発明を実施するための最良の形態】
【００２１】
以下、添付図面を参照しながら本発明の好適な実施形態を説明する。なお、図面の説明において同一要素には同一符号を付し、重複する説明を省略する。
【００２２】
まず、本発明の実施形態に係る金額表示システム１００の構成について、図１を用いて説明する。図１は、金額表示システム１００の構成を示す構成図である。金額表示システム１００は、スーパーマーケット等において買物をしている利用客に対して、その利用客の買物カゴや買物カートや買物袋等に入れられた商品の合計金額を表示するためのシステムである。金額表示システム１００は、商品の合計金額を表示する金額表示装置Ｅと、情報管理サーバ３（通信装置）とを備えている。金額表示装置Ｅは、移動機１（金額表示端末）と、買物カゴ２（商品収容手段）と、ＩＣタグシールドカバー２１とを有している。
【００２３】
移動機１は、例えば携帯電話機や通信機能付ＰＤＡや通信機能付ノートパソコン等といった移動可能な通信端末である。移動機１は、買物カゴ２の近傍に付随するように配置されて、買物カゴ２内に収容された商品Ｃ１〜Ｃ３に貼付されたＩＣタグの商品情報を後述のＩＣタグリーダ１１により読み取ってこれらの合計金額を表示する。なお、移動機１は、買物カゴ２に設けられた移動機用ポケット２２内に収められる。商品情報には、例えば、商品に貼付されたＩＣタグの固有番号（ＩＣタグＮｏ．）や、その商品の単価といった商品価格（例えば希望小売価格）に関する情報等が含まれている。移動機１の物理的構成および機能的構成については、後述する。
【００２４】
買物カゴ２は、商品を収容するためのカゴである。商品の収容が可能であればカゴに限定されず、例えば買物袋であってもよい。
【００２５】
ＩＣタグシールドカバー２１は、買物カゴ２に収容された商品Ｃ１〜Ｃ３以外の商品Ｃ４に貼付されたＩＣタグの商品情報の読み取りを電磁的に防止する例えば金属製のカバーであり、買物カゴ２の外表面に貼付されて固定される。これにより、買物カゴ２に収容されていない商品Ｃ４（即ち利用客が購入しようとしていない商品）に貼付されたＩＣタグの商品情報を、ＩＣタグリーダ１１が誤って読み取ってしまうことを防ぐことができる。この場合、ＩＣタグリーダ１１は、受信レベル（即ち感度レベル）が所定閾値以上のＩＣタグの商品情報のみを読み取ることとする。
【００２６】
情報管理サーバ３は、移動機１と無線通信可能なサーバである。情報管理サーバ３は、移動機１と無線通信可能な位置であればどこに配置されてもよく、例えば上記のスーパーマーケット等といった店内に配置される。情報管理サーバ３の物理的構成および機能的構成については、後述する。
【００２７】
引き続き、移動機１の構成について、図２及び図３を用いて説明する。図２は、移動機１の機能的構成を示す構成図であり、図３は、移動機１の物理的構成を示す構成図である。図３に示すように、移動機１は、ＣＰＵ１０１、ＲＡＭ１０２、ＲＯＭ１０３、操作部１０４、無線通信部１０５、ディスプレイ１０６、及びアンテナ１０７等のハードウェアにより構成されている。これらの構成要素が動作することにより、以下に説明する各機能が発揮される。
【００２８】
また、図２に示すように、移動機１は、機能的な構成要素として、制御部１０と、ＩＣタグリーダ１１（読取手段）と、加速度センサ１２（検知手段）と、計算部１３（計算手段）と、計算結果表示部１４（表示手段）と、端末送信部１５（端末送信手段）と、端末受信部１６（端末受信手段）とを備えている。
【００２９】
制御部１０は、ＩＣタグリーダ１１、加速度センサ１２、計算部１３、計算結果表示部１４、端末送信部１５、及び端末受信部１６のそれぞれに指示信号を送信して、移動機１の後述の機能を制御する部分である。
【００３０】
ＩＣタグリーダ１１は、買物カゴ２に収容された商品（例えば商品パッケージ）に貼付されたＩＣタグの商品情報を読み取って解析する部分である。買物カゴ２には、移動機用ポケット２２の高さ（即ち、図１において破線で示される、移動機用ポケット２２の最高点となる位置）を超えるような山盛り状態にならないように、商品が収容される。なお、ＩＣタグリーダ１１におけるＩＣタグの受信レベルが低下傾向で且つ特定の閾値以下となった場合に、制御部１０によって、商品が買物カゴ２から取り出されたと判断する構成としてもよい。
【００３１】
ここで、ＩＣタグリーダ１１は、ＩＣタグシールドカバー２１により読み取りを防止された商品Ｃ４のＩＣタグの商品情報以外の、商品Ｃ１〜Ｃ３に貼付されたＩＣタグの商品情報のみを読み取って解析する。
【００３２】
加速度センサ１２は、買物カゴ２に商品が出し入れされる際の移動方向を検知するセンサである。より詳しくは、加速度センサ１２は、カメラを有しており、このカメラが買物カゴ２に商品が出し入れされる様子及び買物カゴ２内における商品の移動の様子を撮像し、この撮像結果から、商品の出し入れの際の移動方向（即ち、買物カゴ２に商品が入れられたか、又は、買物カゴ２から商品が取り出されたか）が検知される。加速度センサ１２の撮像方向は、買物カゴ２における商品の出し入れの様子と、買物カゴ２内における商品の移動の様子とが撮像できるような所定方向（即ち図１における水平右方向から右下方向までの間の方向）を向いている。移動機１が移動機用ポケット２２内に収められることによって、加速度センサ１２がこの方向を向くように角度調整されている。
【００３３】
また、加速度センサ１２は、買物カゴ２に商品が出し入れされる際の加速方向を計測することが可能であり、これを計測することにより移動方向を検知する構成としてもよい。さらに、加速度センサ１２は、買物カゴ２に商品が出し入れされる際の加速度を計測する構成としてもよい。
【００３４】
計算部１３は、ＩＣタグリーダ１１により読み取られた商品情報、及び加速度センサ１２により検知された商品の出し入れの際の移動方向に基づいて、商品の合計金額を計算する部分である。これにより、商品が買物カゴ２に入れられる際の移動方向（例えば＋とする）と商品情報とに基づいて商品の合計金額が計算されるだけでなく、商品が買物カゴ２から取り出される際の移動方向（ここでは−である）と商品情報とに基づいても商品の合計金額が計算される。
【００３５】
なお、計算部１３は、上記の商品情報及び移動方向に加えて、加速度センサ１２により検知された加速度に基づいて、合計金額を計算してもよい。これにより、商品が買物カゴ２に入れられた状態であるか否か、及び商品が買物カゴ２から取り出された状態であるか否かを、加速度に基づいて判断できるため、この判断がより正しく行われて合計金額が計算される。
【００３６】
更に、計算部１３は、商品情報及び移動方向に加えて、情報管理サーバ３から受信した後述の商品関連情報（例えばその日によって変わる割引後の価格）に基づいて、合計金額を計算してもよい。これにより、情報管理サーバ３に格納された商品関連情報を一元的に管理しておくことにより、移動機１において計算されて表示される合計金額を遠隔管理することが可能になる。
【００３７】
計算結果表示部１４は、計算部１３により計算された結果である、商品Ｃ１〜Ｃ３の合計金額を、ディスプレイ１０６を用いて表示する部分である。
【００３８】
端末送信部１５は、ＩＣタグリーダ１１によって読み取られた商品情報を、情報管理サーバ３に対して、無線通信により送信する部分である。また、端末送信部１５は、計算部１３により計算された結果を、スーパーマーケット等に設置されているレジスタに対して、無線通信により送信する。これにより、レジスタを操作する店員による商品の合計金額の計算ミスを防ぐことが可能となる。また、利用客は、購入しようとする商品を全て買物カゴ２に入れた後で通信機能付レジスタに移動することにより、通信機能付レジスタが受信した上記の計算結果が示す金額を支払うことで、レジスタに対する手入力による合計金額の計算処理のための操作が不要になって待ち時間を減らすことが可能になる。
【００３９】
端末受信部１６は、端末送信部１５から商品情報を受信した情報管理サーバ３から、当該商品情報と対応する後述の商品関連情報を無線通信により受信する部分である。
【００４０】
引き続き、情報管理サーバ３の構成について、図１及び図４を用いて説明する。図４は、情報管理サーバ３の物理的構成を示す構成図である。図４に示すように、情報管理サーバ３は、ＣＰＵ３０１、ＲＡＭ３０２、ＲＯＭ３０３、通信モジュール３０４、及び補助記憶装置３０５等のハードウェアにより構成されている。これらの構成要素が動作することにより、以下に説明する各機能が発揮される。
【００４１】
また、図１に示すように、情報管理サーバ３は、機能的な構成要素として、商品価格登録ＤＢ３１（格納手段）と、サーバ送受信部３２（装置送信手段）とを備えている。
【００４２】
商品価格登録ＤＢ３１は、商品情報と、この商品情報に対応する商品関連情報とをそれぞれ関連付けて格納するデータベースである。なお、商品関連情報には、例えば、商品（例えば商品パッケージ）に貼付されたＩＣタグの商品情報に含まれている価格（例えば希望小売価格）よりも新しい商品価格（例えばその日によって変わる割引後の価格）に関する情報が含まれている。
【００４３】
サーバ送受信部３２は、端末送信部１５から商品情報を受信する部分である。また、サーバ送受信部３２は、端末送信部１５から受信した商品情報と対応する商品関連情報を、商品価格登録ＤＢ３１から選択して、端末受信部１６に送信する部分である。
【００４４】
引き続き、商品価格登録ＤＢ３１に商品情報と商品関連情報とがそれぞれ関連付けて格納されている様子について、図５を用いて説明する。図５は、商品価格登録ＤＢ３１に商品情報と商品関連情報とがそれぞれ関連付けて格納されている様子を示すテーブル構成図である。商品情報である「ＩＣタグＮｏ．」（例として「００００００１」）に対して、この商品情報と対応する商品関連情報である「商品名」（この場合「Ａ」）及び割引後の「商品価格」（この場合「￥１，９００」）が格納されている。なお、サーバ送受信部３２は、端末送信部１５から商品情報（例として「００００００２」）を受信すると、この商品情報と対応する商品関連情報（この場合「Ｂ」及び「￥２，５００」）を、商品価格登録ＤＢ３１から選択して、端末受信部１６に送信する。
【００４５】
引き続き、加速度センサ１２によって、買物カゴ２における商品の出し入れの際の移動方向が検知される様子について、図６を用いて説明する。図６は、買物カートＣが有する買物カゴ２における商品の出し入れの際の移動方向が検知される様子の一例を示す説明図である。なお、図６における上方向が、買物カゴ２における天井方向に対応している。図６では、買物カゴ２には何も商品が入っていない図６（ａ）の待ち受け状態から、買物カゴ２に商品Ｃ１が入れられる直前の図６（ｂ）の状態を経て、買物カゴ２に商品Ｃ１が取り出される直前の図６（ｃ）の状態になるまでが示されている。
【００４６】
ここで、図６（ｂ）に示すように、商品Ｃ１が買物カゴ２に入れられる際は、加速度センサ１２によって、移動方向Ａ＋が検知される。買物カゴ２に入れられた後は、加速度センサ１２によって検知された加速度に基づいて、商品Ｃ１が買物カゴ２に入れられた状態であるか否か、及び商品Ｃ１が買物カゴ２から取り出された状態であるか否かが判断される。より詳しくは、商品Ｃ１の加速度が所定加速度未満であれば、買物カゴ２の揺れに伴う商品Ｃ１の移動と判断されて、買物カゴ２に入れられた状態のままであると判定される。一方、商品Ｃ１の加速度が所定加速度以上であれば買物カゴ２における商品Ｃ１の出し入れの発生と判断されて、買物カゴ２に入れられた瞬間、又は買物カゴ２から取り出された瞬間と判定される。
【００４７】
引き続き、金額表示システム１００における移動機１の起動から利用客に対する合計金額の表示までの動作について、図７に示すフローチャートを用いて説明する。図７は、金額表示システム１００における移動機１の起動から利用客に対する合計金額の表示までの動作を説明するフローチャートである。
【００４８】
まず、利用者が移動機１にインストールされている金額表示アプリケーションを起動することにより、移動機１における金額表示処理に関する全機能が起動される（ステップＳ０１）と、移動機１の制御部１０が、情報管理サーバ３に対して、商品価格登録ＤＢ３１へのアクセス権限の付与を依頼するための認証信号を送信する（ステップＳ０２）。情報管理サーバ３のアドレスは、制御部１０に予め登録されている構成としてもよく、スーパーマーケット等において用意されているアプリケーションを起動することによりこのアドレスを受信する構成としてもよい。この認証信号を受信した情報管理サーバ３において認証が行われ、認証に成功すると、商品価格登録ＤＢ３１へのアクセス権限を付与する権限付与信号が、サーバ送受信部３２から端末受信部１６に送信され、これにより、移動機１はアクセス権限を受領する（ステップＳ０３）。
【００４９】
ここで、移動機用ポケット２２に移動機１が収められると、買物カゴ２において商品の出し入れが検知されたか否かの判定処理が、加速度センサ１２によって行われる（ステップＳ０４、検知ステップ）。ここで、買物カゴ２において商品の出し入れが検知されなかった場合は、再度このステップＳ０４が行われ、上記の判定処理が行われる。一方、買物カゴ２において商品の出し入れが検知された場合は、後述のステップＳ０５に移行する。
【００５０】
次に、制御部１０が、加速度センサ１２と連動し、加速度センサ１２により検知された検知内容を、数値や符号に換算する（ステップＳ０５）。この符号に関して、より具体的には、商品が買物カゴ２に入れられる際の移動方向が検知された場合は符号「＋」に換算され、商品が買物カゴ２から取り出される際の移動方向が検知された場合は符号「−」に換算される。また、この数値に関して、より具体的には、所定加速度以上であれば、買物カゴ２における商品の出し入れの発生と判断される。
【００５１】
次に、制御部１０が、ＩＣタグリーダ１１に、商品情報の読み取り及び解析を命令する信号を送信する。これにより、ＩＣタグリーダ１１において、買物カゴ２に入れられた商品に貼付されたＩＣタグの商品情報の読み取り及び解析が行われ、制御部１０は、このＩＣタグの解析結果を取得する（ステップＳ０６、読取ステップ）。
【００５２】
次に、制御部１０が、端末送信部１５に、ＩＣタグの解析結果（即ち商品情報）のサーバ送受信部３２への送信を命令する信号を送信する。これにより、ＩＣタグの解析結果（即ち商品情報）がサーバ送受信部３２により受信されて、制御部１０による商品価格登録ＤＢ３１へのアクセスが可能となる（ステップＳ０７）。
【００５３】
次に、制御部１０が、このＩＣタグの解析結果（即ち商品情報）に対応する商品関連情報を、サーバ送受信部３２から端末受信部１６を経由して受信する（ステップＳ０８）。これにより、移動機１は、商品関連情報を取得する。
【００５４】
次に、制御部１０が、計算部１３に、ＩＣタグの解析結果（即ち商品情報）、商品関連情報、及びステップＳ０５で換算された数値や符号の情報を含む信号を送信する。これにより、計算部１３は、これらの情報に基づいて、商品の合計金額を計算する（ステップＳ０９、計算ステップ）。より詳しくは、計算部１３は、ステップＳ０１において移動機１の全機能が起動されて買物カゴ２に何も入っていない状態のときに累計価格をゼロと初期化して制御部１０に記憶保存しておき、上記したこれらの情報に基づいて、既に制御部１０に記憶保存されている累計価格に対して、加算や減算を行う。そして、制御部１０が、この計算結果である累計価格に関する情報を取得する。
【００５５】
次に、制御部１０が、この計算結果である累計価格に関する情報を記憶保存するとともに、この計算結果である累計価格に関する情報を、計算結果表示部１４に送信する。これにより、計算結果表示部１４は、この計算結果である商品の合計金額（即ち累計価格）を外部（即ち、利用客）に対して表示する（ステップＳ１０、表示ステップ）。そして、再度、前述したステップＳ０４に移行する。
【００５６】
引き続き、移動機１を機能させるための金額表示プログラム９について、図８を用いて説明する。図８は、移動機１を機能させるための金額表示プログラム９の構成図である。
【００５７】
金額表示プログラム９は、図８に示すように、処理を統括する制御モジュール９０と、読取モジュール９１と、検知モジュール９２と、計算モジュール９３と、表示モジュール９４と、送信モジュール９５と、受信モジュール９６とを備えて構成される。
【００５８】
ここで、制御モジュール９０、読取モジュール９１、検知モジュール９２、計算モジュール９３、表示モジュール９４、送信モジュール９５、及び受信モジュール９６のそれぞれを動作させることによって実現する機能は、上述した移動機１の制御部１０、ＩＣタグリーダ１１、加速度センサ１２、計算部１３、計算結果表示部１４、端末送信部１５、及び端末受信部１６のそれぞれの機能と同様である。
【００５９】
引き続き、本実施形態の作用効果について、図１及び図２を用いて説明する。本実施形態に係る移動機１によれば、ＩＣタグリーダ１１により読み取られた商品情報、及び加速度センサ１２により検知された商品の出し入れの際の移動方向に基づいて、商品Ｃ１〜Ｃ３の合計金額が計算部１３により計算されて、計算部１３により計算された合計金額が計算結果表示部１４により表示される。これにより、商品Ｃ１〜Ｃ３が買物カゴ２に入れられる際の移動方向と商品情報とに基づいて商品Ｃ１〜Ｃ３の合計金額が計算されて表示されるだけでなく、商品Ｃ１〜Ｃ３が買物カゴ２から取り出される際の移動方向と商品情報とに基づいても商品Ｃ１〜Ｃ３の合計金額が計算されて表示される。
【００６０】
このため、買物カートＣ等の買物カゴ２に入れられた商品を返品するたびに、キャンセルキーの操作といった商品返品のための操作を毎回行う手間を取らずに、商品Ｃ１〜Ｃ３の合計金額が容易に分かることができるようになり、利用客にとっての利便性をより高めることができる。また、利用客は、購入しようとする商品を全て買物カゴ２に入れた後で通信機能付レジスタに移動することにより、通信機能付レジスタが受信した上記の合計金額が示す金額を支払うことで、レジスタに対する手入力による合計金額の計算処理のための操作が不要になって待ち時間を減らすことが可能になる。
【００６１】
また、商品情報及び移動方向に加えて加速度にも基づいて合計金額が計算されるため、商品が買物カゴ２に入れられた状態であるか否か、及び商品が買物カゴ２から取り出された状態であるか否かがより正しく判断されて合計金額が計算される。この結果、より正しい商品の合計金額が分かるようになるため、利用客にとっての利便性をより高めることができる。
【００６２】
また、買物カゴ２に収容された商品Ｃ１〜Ｃ３以外の商品Ｃ４に貼付されたＩＣタグの商品情報のＩＣタグリーダ１１による読み取りはＩＣタグシールドカバー２１の存在によって防がれるため、買物カゴ２に収容されていない商品Ｃ４に貼付されたＩＣタグの商品情報を誤って読み取ってしまうことを防ぐことができる。
【００６３】
以上、本発明を実施形態に基づき具体的に説明したが、本発明は上記の実施形態に限定されるものではなく、種々の変形が可能である。なお、上記の実施形態及び下記の変形例は、本発明の範囲を制限するものではなく、当業者がこれらの実施形態及び変形例を本発明の特許請求の範囲の主題に反することなく発展させることができるものである。例えば、移動機１が備える加速度センサ１２の代わりに、移動機用ポケット２２にポケット用加速度センサを設け、このポケット用加速度センサからの検知内容に関する信号を移動機１が受信する構成としてもよい。
【図面の簡単な説明】
【００６４】
【図１】金額表示システムの構成を示す構成図である。
【図２】移動機の機能的構成を示す構成図である。
【図３】移動機の物理的構成を示す構成図である。
【図４】情報管理サーバの物理的構成を示す構成図である。
【図５】商品価格登録ＤＢに商品情報と商品関連情報とがそれぞれ関連付けて格納されている様子を示すテーブル構成図である。
【図６】買物カゴにおける商品の出し入れの際の移動方向が検知される様子の一例を示す説明図である。
【図７】金額表示システムにおける移動機の起動から利用客に対する合計金額の表示までの動作を説明するフローチャートである。
【図８】移動機を機能させるための金額表示プログラムの構成図である。
【符号の説明】
【００６５】
１…移動機、２…買物カゴ、３…情報管理サーバ、９…金額表示プログラム、１０…制御部、１１…ＩＣタグリーダ、１２…加速度センサ、１３…計算部、１４…計算結果表示部、１５…端末送信部、１６…端末受信部、２１…ＩＣタグシールドカバー、２２…移動機用ポケット、３１…商品価格登録ＤＢ、３２…サーバ送受信部、９０…制御モジュール、９１…読取モジュール、９２…検知モジュール、９３…計算モジュール、９４…表示モジュール、９５…送信モジュール、９６…受信モジュール、１００…金額表示システム、Ａ＋，Ａ−…移動方向、Ｃ…買物カート、Ｃ１〜Ｃ４…商品、Ｅ…金額表示装置。
【図１】
2009163359.tif 000003
【図２】
2009163359.tif 000004
【図３】
2009163359.tif 000005
【図４】
2009163359.tif 000006
【図５】
2009163359.tif 000007
【図６】
2009163359.tif 000008
【図７】
2009163359.tif 000009
【図８】
2009163359.tif 000010